(57)【要約】【課題】ＤＶＤレコーダにおいて、ユーザがＭＡＰファイルを保存するか否か、ＭＡＰファイルを保存する場合にはＭＡＰファイルを記録する記憶媒体を決定することにより、記憶媒体の容量及びＭＡＰファイルの書込み時間を制御できるようにする。【解決手段】制御部が有する問合手段は、ユーザにＭＡＰファイルを保存するか否かの問合せを行う（Ｓ１１３）。命令受付部が、ユーザからＭＡＰファイルを保存する命令を受付けると（Ｓ１１３でＹｅｓ）、問合手段は、ユーザに対して、ＭＡＰファイルを保存する記憶媒体を問合せ、ユーザが命令受付部に記憶媒体を指示すると、記録手段は、ユーザが指定した記憶媒体にＭＡＰファイルを記録する（Ｓ１１４〜Ｓ１１６）。これにより、ユーザは、ＭＡＰファイルの使用可能性や記憶媒体の記憶容量、さらにはＭＡＰファイルの書込みスピードを考慮してＭＡＰファイルの保存方法を制御することが可能となる。【選択図】図３
2008108327.tif 000002
【特許請求の範囲】
【請求項１】
映像及び音声からなるコンテンツが録画されるハードディスクと、
前記コンテンツがＡＶＩ（Ａｕｄｉｏ  Ｖｉｄｅｏ  Ｉｎｔｅｒｌｅａｖｉｎｇ）ファイルとして記録されているＤＶＤメディアから、前記ＡＶＩファイルが保持するインデックスを読み取って、前記コンテンツの予め定められた再生経過時間を代表時間として選択し、前記代表時間と該代表時間が記録されている前記インデックスのアドレスとを関連付けてＭＡＰファイルを作成するＭＡＰファイル作成手段と、
指定された再生経過時間から前記コンテンツを再生する再生手段と、
ユーザからの命令を受付ける命令受付部と、
前記ＭＡＰファイルを前記ＤＶＤメディア及び前記ハードディスクに記録する記録手段と、
装置全体を制御する制御部と、を備えたＤＶＤレコーダにおいて、
前記ＭＡＰファイルを一時的に記憶する記憶部をさらに備え、
前記制御部は、前記記憶部が記憶している前記ＭＡＰファイルを保存するか否か、及び前記ＭＡＰファイルを前記ＤＶＤメディアまたは前記ハードディスクのいずれに記録するかをユーザに問合せる問合手段を備え、
前記制御部は、前記ＤＶＤメディアに記録されている前記コンテンツが再生されると、前記ＭＡＰファイルが前記ＤＶＤメディアまたは前記ハードディスクに記録されているか否かを検出し、前記ＭＡＰファイルが前記ＤＶＤメディア及び前記ハードディスクのいずれにも記録されていなければ、前記問合手段は、前記ＭＡＰファイルを保存するか否かの問合せを行い、
前記命令受付部が前記ＭＡＰファイルを保存する命令を受付けた場合、前記問合手段は、さらに前記ＭＡＰファイルを前記ＤＶＤメディアまたは前記ハードディスクのいずれに記録するかの問合せを行い、
前記命令受付部が前記ＭＡＰファイルを前記ＤＶＤメディアに記録する命令を受付けたとき、前記記録手段は、前記ＭＡＰファイルを前記ＤＶＤメディアに記録し、
前記命令受付部が前記ＭＡＰファイルを前記ハードディスクに記録する命令を受付けたとき、前記記録手段は、前記ＭＡＰファイルを前記ハードディスクに記録し、
前記命令受付部が前記ＭＡＰファイルを保存しない命令を受付けた場合、前記制御部は、前記ＭＡＰファイルを前記ＤＶＤメディア及び前記ハードディスクのいずれにも記録しないことを特徴とするＤＶＤレコーダ。
【請求項２】
映像及び音声からなるコンテンツがＡＶＩファイルとして記録されているＤＶＤメディアから、前記ＡＶＩファイルが保持するインデックスを読み取って、前記コンテンツの予め定められた再生経過時間を代表時間として選択し、前記代表時間と該代表時間が記録されている前記インデックスのアドレスとを関連付けてＭＡＰファイルを作成するＭＡＰファイル作成手段と、
指定された前記再生経過時間から前記コンテンツを再生する再生手段と、
ユーザからの命令を受付ける命令受付部と、
前記ＭＡＰファイルを前記ＤＶＤメディアに記録する記録手段と、
装置全体を制御する制御部と、を備えたＤＶＤレコーダにおいて、
前記ＭＡＰファイルを一時的に記憶する記憶部をさらに備え、
制御部は、前記記憶部が記憶している前記ＭＡＰファイルを保存するか否かをユーザに問合せる問合手段を備え、
前記制御部は、前記コンテンツが再生されると、前記ＭＡＰファイルが前記ＤＶＤメディアに記録されているか否かを検出し、前記ＭＡＰファイルが前記ＤＶＤメディアに記録されていなければ、前記問合手段は、前記ＭＡＰファイルを保存するか否かの問合せを行い、
前記命令受付部が前記ＭＡＰファイルを保存する命令を受付けた場合、前記記録手段は、前記ＭＡＰファイルを前記ＤＶＤメディアに記録し、
前記命令受付部が前記ＭＡＰファイルを保存しない命令を受付けた場合、前記制御部は、前記ＭＡＰファイルを前記ＤＶＤメディアに記録しないことを特徴とするＤＶＤレコーダ。
【請求項３】
前記ＭＡＰファイルを記憶することが可能な記憶媒体をさらに備え、
前記問合手段は、前記ＭＡＰファイルを前記ＤＶＤメディアまたは前記記憶媒体のいずれに記録するかをユーザに問合せる機能をさらに有し、
前記記録手段は、前記ＭＡＰファイルを前記記憶媒体に記録する機能をさらに有し、
前記制御部は、前記ＤＶＤメディアに記録されている前記コンテンツが再生されると、前記ＭＡＰファイルが前記記憶媒体に記録されているか否かをさらに検出し、前記ＭＡＰファイルが前記記憶媒体のいずれにも記録されていなければ、前記問合手段は、前記ＭＡＰファイルを保存するか否かの問合せを行い、
前記命令受付部が前記ＭＡＰファイルを保存する命令を受付けた場合、前記問合手段は、さらに前記ＭＡＰファイルを前記ＤＶＤメディアまたは前記記憶媒体のいずれに記録するかの問合せを行い、
前記命令受付部が前記ＭＡＰファイルを前記ＤＶＤメディアに記録する命令を受付けたとき、前記記録手段は、前記ＭＡＰファイルを前記ＤＶＤメディアに記録し、
前記命令受付部が前記ＭＡＰファイルを前記記憶媒体に記録する命令を受付けたとき、前記記録手段は、前記ＭＡＰファイルを前記記憶媒体に記録し、
前記命令受付部が前記ＭＡＰファイルを保存しない命令を受付けた場合、前記制御部は、前記ＭＡＰファイルを前記記憶媒体に記録しないことを特徴とする請求項２に記載のＤＶＤレコーダ。
【発明の詳細な説明】
【技術分野】
【０００１】
本発明は、ユーザが、ＡＶＩファイルのインデックスと関連付けて作成されたＭＡＰファイルの記録状態を制御することができるＤＶＤレコーダに関する。
【背景技術】
【０００２】
一般にＤＶＤレコーダは、コンテンツの再生経過時間が指定されると、当該再生経過時間からコンテンツを再生するタイムサーチ機能を有している。例えば、コンテンツがＡＶＩファイルとしてＤＶＤメディアに記録されているとき、ＤＶＤレコーダは、ＡＶＩファイルが保持するインデックスを参照してタイムサーチを行う。図４は、インデックスを参照したタイムサーチの手法を示す。ＡＶＩファイル１５は、コーデック方式やフレームレートなどのコンテンツの再生に必要な情報が格納されているヘッダ１６と、コンテンツの映像データ及び音声データが格納されているコンテンツデータ１７と、コンテンツデータ１７の管理情報が格納されているインデックス１８から構成される。インデックス１８は、コンテンツの再生経過時間に対応したコンテンツ情報を再生経過時間の順に従って保持している。
【０００３】
ここで、ＤＶＤメディアに記録されているコンテンツ全体の再生時間が６０分とすると、インデックス１８は、コンテンツの再生経過時間が０分から６０分まで、それぞれの再生経過時間に対応したコンテンツ情報を保持している。このとき、ユーザが再生経過時間を４３分と指定してタイムサーチを行うと、ＤＶＤレコーダは、インデックス１８を０分から６０分へ向けてサーチを開始する。ＤＶＤレコーダは、インデックス１８の中から再生経過時間が４３分に対応するコンテンツ情報を検出すると、このコンテンツ情報を基にしてコンテンツの再生経過時間が４３分であるポイントから再生を開始する。
【０００４】
このように、ＤＶＤレコーダは、ＡＶＩファイル１５のインデックス１８を参照することによってタイムサーチを行うことができるが、インデックス１８を先頭から順にサーチしなければならないため、ユーザが再生経過時間を指定してからコンテンツが再生されるまで時間がかかるという問題が生じていた。そこで、タイムサーチを速やかに実行するために、インデックス１８の中からユーザが指定した再生経過時間に対応したコンテンツ情報をより速く検出するために、インデックス１８と関連付けて作成されたＭＡＰファイルが用いられている。従来のＤＶＤレコーダは、ユーザの利用態様に関わらず自動的にＭＡＰファイルをＤＶＤメディアに書き込んでいた。
【０００５】
しかしながら、ＭＡＰファイルをＤＶＤメディアへ書き込むには数分の時間を要する上、ＤＶＤメディアの記憶容量を消費することとなる。なお、ＭＡＰファイルをハードディスクへ書き込むのに要する時間は数秒である。そこで、タイムサーチ機能を利用しないユーザにとってはＭＡＰファイルをＤＶＤメディアへ書き込むメリットがないという問題が生じていた。また、タイムサーチ機能は利用するユーザであっても、ＭＡＰファイルをＤＶＤメディアへ書き込む時間を短縮したい、またはＤＶＤメディアの記憶容量を消費したくないとの要望が増加してきた。なお、特許文献１乃至特許文献３に示される技術においては、ＤＶＤメディアに記録されたコンテンツの概要をインデックスとしてテレビやＰＣモニタに高速に表示する方法、及びコンテンツの様々な属性及び詳細情報をインデックスとして表示する方法が示されているが、タイムサーチに利用されるファイルやデータに関する技術について記載されていない。
【特許文献１】再表２００４−０２８１５７号公報
【特許文献２】再表２００３−０４６９１２号公報
【特許文献３】特開２００４−１７１３１１号公報
【発明の開示】
【発明が解決しようとする課題】
【０００６】
本発明は、上記従来例の問題を解決するためになされたものであり、ユーザが、ＭＡＰファイルを保存するか否かを決定することにより、利用することがないＭＡＰファイルを記憶媒体に記録することを回避することが可能となり、さらに、ＭＡＰファイルを保存する場合には、ユーザが、ＭＡＰファイルを記録する記憶媒体を指定することにより、記憶媒体の容量及びＭＡＰファイルの書込み時間を制御することができるＤＶＤレコーダを提供することを目的とする。
【課題を解決するための手段】
【０００７】
上記目的を達成するために請求項１の発明は、映像及び音声からなるコンテンツが録画されるハードディスクと、コンテンツがＡＶＩファイルとして記録されているＤＶＤメディアから、ＡＶＩファイルが保持するインデックスを読み取って、コンテンツの予め定められた再生経過時間を代表時間として選択し、代表時間と代表時間が記録されているインデックスのアドレスとを関連付けてＭＡＰファイルを作成するＭＡＰファイル作成手段と、指定された再生経過時間からコンテンツを再生する再生手段と、ユーザからの命令を受付ける命令受付部と、ＭＡＰファイルをＤＶＤメディア及びハードディスクに記録する記録手段と、装置全体を制御する制御部と、を備えたＤＶＤレコーダにおいて、ＭＡＰファイルを一時的に記憶する記憶部をさらに備え、制御部は、記憶部が記憶しているＭＡＰファイルを保存するか否か、及びＭＡＰファイルをＤＶＤメディアまたはハードディスクのいずれに記録するかをユーザに問合せる問合手段を備え、制御部は、ＤＶＤメディアに記録されているコンテンツが再生されると、ＭＡＰファイルがＤＶＤメディアまたはハードディスクに記録されているか否かを検出し、ＭＡＰファイルがＤＶＤメディア及びハードディスクのいずれにも記録されていなければ、問合手段は、ＭＡＰファイルを保存するか否かの問合せを行い、命令受付部がＭＡＰファイルを保存する命令を受付けた場合、問合手段は、さらにＭＡＰファイルをＤＶＤメディアまたはハードディスクのいずれに記録するかの問合せを行い、命令受付部がＭＡＰファイルをＤＶＤメディアに記録する命令を受付けたとき、記録手段は、ＭＡＰファイルをＤＶＤメディアに記録し、命令受付部がＭＡＰファイルをハードディスクに記録する命令を受付けたとき、記録手段は、ＭＡＰファイルをハードディスクに記録し、命令受付部がＭＡＰファイルを保存しない命令を受付けた場合、制御部は、ＭＡＰファイルをＤＶＤメディア及びハードディスクのいずれにも記録しないようにしたものである。
【０００８】
また、請求項２の発明は、映像及び音声からなるコンテンツがＡＶＩファイルとして記録されているＤＶＤメディアから、ＡＶＩファイルが保持するインデックスを読み取って、コンテンツの予め定められた再生経過時間を代表時間として選択し、代表時間と代表時間が記録されているインデックスのアドレスとを関連付けてＭＡＰファイルを作成するＭＡＰファイル作成手段と、指定された再生経過時間からコンテンツを再生する再生手段と、ユーザからの命令を受付ける命令受付部と、ＭＡＰファイルをＤＶＤメディアに記録する記録手段と、装置全体を制御する制御部と、を備えたＤＶＤレコーダにおいて、ＭＡＰファイルを一時的に記憶する記憶部をさらに備え、制御部は、記憶部が記憶しているＭＡＰファイルを保存するか否かをユーザに問合せる問合手段を備え、制御部は、コンテンツが再生されると、ＭＡＰファイルがＤＶＤメディアに記録されているか否かを検出し、ＭＡＰファイルがＤＶＤメディアに記録されていなければ、問合手段は、ＭＡＰファイルを保存するか否かの問合せを行い、命令受付部がＭＡＰファイルを保存する命令を受付けた場合、記録手段は、ＭＡＰファイルをＤＶＤメディアに記録し、命令受付部がＭＡＰファイルを保存しない命令を受付けた場合、制御部は、ＭＡＰファイルをＤＶＤメディアに記録しないようにしたものである。
【０００９】
また、請求項３の発明は、請求項２のＤＶＤレコーダにおいて、ＭＡＰファイルを記憶することが可能な記憶媒体をさらに備え、問合手段は、ＭＡＰファイルをＤＶＤメディアまたは記憶媒体のいずれに記録するかをユーザに問合せる機能をさらに有し、記録手段は、ＭＡＰファイルを記憶媒体に記録する機能をさらに有し、制御部は、ＤＶＤメディアに記録されているコンテンツが再生されると、ＭＡＰファイルが記憶媒体に記録されているか否かをさらに検出し、ＭＡＰファイルが記憶媒体のいずれにも記録されていなければ、問合手段は、ＭＡＰファイルを保存するか否かの問合せを行い、命令受付部がＭＡＰファイルを保存する命令を受付けた場合、問合手段は、さらにＭＡＰファイルをＤＶＤメディアまたは記憶媒体のいずれに記録するかの問合せを行い、命令受付部がＭＡＰファイルをＤＶＤメディアに記録する命令を受付けたとき、記録手段は、ＭＡＰファイルをＤＶＤメディアに記録し、命令受付部がＭＡＰファイルを記憶媒体に記録する命令を受付けたとき、記録手段は、ＭＡＰファイルを記憶媒体に記録し、命令受付部がＭＡＰファイルを保存しない命令を受付けた場合、制御部は、ＭＡＰファイルを記憶媒体に記録しないようにしたものである。
【発明の効果】
【００１０】
請求項１の発明によれば、ＤＶＤメディアに記録されているコンテンツに対応したＭＡＰファイルが、ＤＶＤメディア及びハードディスクのいずれにも記録されていなければ、問合手段は、ユーザにＭＡＰファイルを保存するか否かの問合せを行う。これにより、ユーザは、ＭＡＰファイルを保存するか否かを決定することが可能となる。ユーザが、ＭＡＰファイルを保存すると決定した場合、問合手段は、ユーザにＭＡＰファイルをＤＶＤメディアまたはハードディスクのいずれに記録するかの問合せを行う。これにより、ユーザは、ＭＡＰファイルの記録先を指定することが可能となる。ＭＡＰファイルがＤＶＤレコーダに記録されることにより、当該ＤＶＤメディアが他のＤＶＤレコーダによってタイムサーチされたときであっても、他のＤＶＤレコーダは、ＭＡＰファイルを利用することができるため、速やかにタイムサーチを実行することが可能となる。一方、ＭＡＰファイルがハードディスクに記録されることにより、ＤＶＤレコーダは、ＤＶＤメディアの記録容量を消費することなく、ＤＶＤメディアに記録するときに比べて短時間でＭＡＰファイルを書込むことが可能となる。
【００１１】
請求項２の発明によれば、ＤＶＤメディアに記録されているコンテンツに対応するＭＡＰファイルが、ＤＶＤメディアに記録されていなければ、問合手段は、ユーザにＭＡＰファイルを保存するか否かの問合せを行う。これにより、ユーザは、ＭＡＰファイルを保存するか否かを決定することが可能となる。タイムサーチ機能を利用しないユーザ、利用することのないＭＡＰファイルをＤＶＤメディアに記録しないことによって、ＤＶＤメディアの記憶容量が消費されるのを回避することができる。
【００１２】
請求項３の発明によれば、問合手段は、ユーザにＭＡＰファイルをＤＶＤメディアまたは記憶媒体のいずれに記録するかの問合せを行う。これにより、ユーザは、ＭＡＰファイルの記録先を指定することが可能となる。ＤＶＤレコーダが、記憶媒体としてＳＤカード、メモリスティック、またはコンパクトフラッシュなどを備えている場合、ユーザは、これらの記憶媒体のいずれかにＭＡＰファイルを記録することが可能となる。ＭＡＰファイルがこれらの記憶媒体に記録されることにより、ＤＶＤメディアの記録容量を消費することなく、ＤＶＤメディアにＭＡＰファイルが記録されるときに比べて短時間で書込むことができる。また、ＭＡＰファイルが記録された記憶媒体をＤＶＤメディアと共に持ち運ぶことが可能となる。
【発明を実施するための最良の形態】
【００１３】
以下、本発明の実施形態に係るＤＶＤレコーダについて、図面を参照して説明する。図１は、本発明の実施形態に係るＤＶＤレコーダの概略構成を示す。ＤＶＤレコーダ１は、ＤＶＤレコーダ１全体を制御し、モニタ７または操作パネル８を介してユーザに各種設定内容について問合わせを行う問合手段９を有する制御部２と、映像及び音声からなるコンテンツが録画されるハードディスク３と、ハードディスク３に各種情報を記録する記録手段４Ａを含むハードディスク録画再生装置４と、ＤＶＤメディア５に各種情報を記録する記録手段６ＡとにＤＶＤメディア５に記録されているコンテンツを指定された再生経過時間から再生する再生手段６Ｂとを含むＤＶＤ録画再生装置６と、操作パネル８やリモコン１０を介して各種設定を行う命令をユーザから入力される命令受付部１１とを備える。制御部２は、ＤＶＤメディア５に記憶されているコンテンツがＡＶＩファイル１５であるとき、ＡＶＩファイル１５が保持するインデックス１８（図２）からタイムサーチに利用するためのＭＡＰファイル１２を作成するＭＡＰ作成手段１３を備え、制御部２に接続された記憶部１４は、作成されたＭＡＰファイル１２を一時的に記憶する。
【００１４】
次に、ＭＡＰ作成手段１３がＭＡＰファイル１２を作成する手法について説明する。図２は、インデックス１８とＭＡＰファイル１２との関係を示す。図２（ａ）はインデックス１８の構成を示し、図２（ｂ）はＭＡＰファイル１２の構成を示す。インデックス１８は、コンテンツの再生経過時間に対応したコンテンツ情報を再生経過時間の順に従って保持している。ここで、ＤＶＤメディアに記録されているコンテンツ全体の再生時間は６０分とする。ＭＡＰ作成手段１３は、インデックス１８が連続して保持する再生経過時間のうち、１０分おきに再生経過時間を代表時間として選択する。ＭＡＰ作成手段１３は、選択された代表時間と、この代表時間に対応するコンテンツ情報が格納されているインデックス１８内部のアドレスとを関連付けてＭＡＰファイル１２を作成する。なお、再生経過時間の始まりは０分であり、再生経過時間の終わりは６０分であることは明らかであるため、ＭＡＰファイル１２は、代表時間として再生経過時間の０分と６０分は保持しない。
【００１５】
次にユーザが再生経過時間を指定してコンテンツを再生するタイムサーチについて説明する。ユーザが操作パネル８またはリモコン１０から再生経過時間を指定してタイムサーチを行ったとき、制御部２は、ＭＡＰファイル１２を参照する。ここで、ユーザが指定した再生経過時間を指定時間とする。指定時間が４３分であるとすると、制御部２は、ＭＡＰファイル１２から指定時間の値より小さく、かつ、指定時間に最も近い代表時間を選択する。ここで、ＭＡＰファイルが保持する代表時間のうち、指定時間である４３分より値が小さく、かつ４３分に最も近い代表時間は４０分である。よって、制御部２は、代表時間４０分と関連付けて記憶されているインデックス１８のアドレス「０ｘＡ０４００」を取得する。
【００１６】
次に、制御部２は、インデックス１８を先頭からサーチするのでなく、インデックス１８の中のアドレス「０ｘＡ０４００」にアクセスする。ここで、インデックス１８の中のアドレス「０ｘＡ０４００」をポイントＡとし、インデックス１８が保持する再生経過時間が４３分のポイントをポイントＢとする。制御部２は、ポイントＡからインデックス１８が保持する再生経過時間を６０分の方向へ向けてサーチを開始する。制御部２は、ポイントＢを検出すると、ポイントＢに格納されているコンテンツ情報を基にして、コンテンツの再生経過時間が４３分である再生ポイントを特定する。ＤＶＤ録画再生装置６は、制御部２が特定した再生ポイントからコンテンツの再生を開始する。このように、ＭＡＰファイル１２を利用することにより、制御部２は、インデックス１８を先頭からサーチする必要がなくなるため、ＤＶＤ録画再生装置６は、速やかに再生ポイントからコンテンツを再生することが可能となる。
【００１７】
ＤＶＤレコーダ１は、ユーザがＭＡＰファイル１２を保存するか否か、及びＭＡＰファイル１２をいずれの記憶媒体に記録するかを制御することができる機能を備える。ここで、ユーザがＭＡＰファイル１２の保存を制御する処理について説明する。図３は、ＤＶＤレコーダ１におけるＭＡＰファイル１２の保存制御処理の動作フローを示す。なお、ＤＶＤメディア５には、コンテンツがＡＶＩファイルとして記録されているものとする。ＤＶＤレコーダ１において、ＤＶＤメディア５に記録されているコンテンツが再生されると、制御部２は、ＤＶＤメディア５にＭＡＰファイル１２が存在するか否かを検出する（Ｓ１０１）。ＤＶＤメディア５にＭＡＰファイル１２が存在すると（Ｓ１０１でＹｅｓ）、制御部２は、タイムサーチが実行されるときに備えてＤＶＤメディア５からＭＡＰファイル１２を読取る（Ｓ１０２）。その後、コンテンツの再生が開始される（Ｓ１０６）。ＤＶＤメディア５にＭＡＰファイル１２が存在しなければ（Ｓ１０１でＮｏ）、制御部２は、ＤＶＤメディア５に記録されているコンテンツに関連付けられたＭＡＰファイル１２がハードディスク３に存在するか否かを検出する（Ｓ１０３）。
【００１８】
ハードディスク３にＭＡＰファイル１２が存在すると（Ｓ１０３でＹｅｓ）、制御部２は、タイムサーチが実行されるときに備えてハードディスク３からＭＡＰファイル１２を読取る（Ｓ１０２）。その後、コンテンツの再生が開始される（Ｓ１０６）。ハードディスク３にＭＡＰファイル１２が存在しなければ（Ｓ１０３でＮｏ）、ＭＡＰ作成手段１３は、ＤＶＤメディア５に記録されているＡＶＩファイル１５が保持するインデックス１８からＭＡＰファイル１２を作成する（Ｓ１０４）。制御部２は、作成されたＭＡＰファイル１２を記憶部１４に一時的に記憶させる（Ｓ１０５）。その後、コンテンツの再生が開始される（Ｓ１０６）。
【００１９】
その後、タイムサーチが実行されると（Ｓ１０７でＹｅｓ）、制御部２は、ＭＡＰファイル１２から指定時間の値よりも小さく、かつ指定時間に最も近い代表時間を選択し、この選択した代表時間に関連付けて記憶されているインデックス１８のアドレスを取得する（Ｓ１０８）。制御部２は、インデックス１８が保持する指定時間を検出するため、取得したアドレスに該当するポイントからインデックス１８のサーチを開始する（Ｓ１０９）。制御部２は、インデックス１８の中から指定時間を検出し、検出した指定時間と関連付けてインデックス１８に格納されているコンテンツ情報を基にして、コンテンツの再生ポイントを特定する。ＤＶＤ録画再生装置６は、この再生ポイントからコンテンツを再生することによってタイムサーチを実行する（Ｓ１１０）。ステップＳ１０７において、タイムサーチが実行されないとき（Ｓ１０７でＮｏ）、または、タイムサーチが実行されたとき（Ｓ１１０）、制御部２は、コンテンツの再生が終了するのを待つこととなる（Ｓ１１１）。
【００２０】
ステップＳ１１１において、コンテンツの再生が終了するまでは（Ｓ１１１でＮｏ）、ステップＳ１０７からステップＳ１１１までの処理が繰り返される。ステップＳ１１１において、コンテンツの再生が終了すると（Ｓ１１１でＹｅｓ）、制御部２は、記憶部１４が一時的に作成されたＭＡＰファイル１２を記憶しているか否かを検出する（Ｓ１１２）。ステップＳ１１２において、記憶部１４がＭＡＰファイル１２を記憶していなければ（Ｓ１１２でＮｏ）、ＤＶＤレコーダ１は、ＭＡＰファイル１２の保存制御処理を終了する。ステップＳ１１２において、記憶部１４がＭＡＰファイル１２を記憶していると（Ｓ１１２でＹｅｓ）、問合手段９は、モニタ７または操作パネル８にメッセージを表示することによって、ユーザにＭＡＰファイル１２を保存するか否かの問合せを行う（Ｓ１１３）。
【００２１】
命令受付部１１が、操作パネル８またはリモコン１０を介してユーザからＭＡＰファイルを保存しない命令を受付けると（Ｓ１１３でＮｏ）、制御部２は、記憶部１４が一時的に記憶しているＭＡＰファイル１２を削除し、ＤＶＤレコーダ１は、ＭＡＰファイル１２の保存制御処理を終了する。一方、命令受付部１１が、ユーザからＭＡＰファイルを保存する命令を受付けると（Ｓ１１３でＹｅｓ）、問合手段９は、モニタ７または操作パネル８にメッセージを表示することによって、ユーザにＤＶＤメディア５にＭＡＰファイル１２を記録するかの問合せを行う（Ｓ１１４）。命令受付部１１が、操作パネル８またはリモコン１０を介してユーザからＤＶＤメディア５にＭＡＰファイル１２を記録する命令を受付けると（Ｓ１１４でＹｅｓ）、ＤＶＤ録画再生装置６は、ＭＡＰファイル１２をＤＶＤメディア５に書込み（Ｓ１１５）、制御部２は、記憶部１４が一時的に記憶しているＭＡＰファイル１２を削除する。ステップＳ１１４において、命令受付部１１が、ＤＶＤメディア５にＭＡＰファイル１２を記録しない命令、または、ハードディスク３にＭＡＰファイル１２を記録する命令を受付けると（Ｓ１１４でＮｏ）、ハードディスク録画再生装置４は、ＭＡＰファイル１２をハードディスク３に書込み（Ｓ１１６）、制御部２は、記憶部１４が一時的に記憶しているＭＡＰファイル１２を削除する。ＭＡＰファイル１２がＤＶＤメディア５またはハードディスク３に書き込まれると、ＤＶＤレコーダ１は、ＭＡＰファイル１２の保存制御処理を終了する。
【００２２】
このように、ユーザは、ＭＡＰファイル１２を保存するか否かを決定することが可能となる。タイムサーチ機能を利用しないユーザにとっては、ＭＡＰファイル１２をＤＶＤメディア５またはハードディスク３などの記憶媒体に記録する必要がないため、ＭＡＰファイル１２を保存しないことを選択することにより、今までＭＡＰファイル１２に割り当てられていた記憶媒体の記憶容量を有効に利用することが可能となる。
【００２３】
また、ＭＡＰファイル１２を記憶媒体に保存する場合、ユーザは、利用態様に応じてＭＡＰファイル１２を保存する記憶媒体を選択することが可能となる。ユーザは、ＭＡＰファイル１２をＤＶＤメディア５に記録することにより、ＤＶＤメディア５を他のＤＶＤレコーダ１でタイムサーチ機能を実行したときにでも、ＭＡＰファイル１２を利用することができるため、速やかに指定時間からコンテンツを再生することが可能となる。一方、ユーザは、ハードディスク３にＭＡＰファイル１２を記録することにより、ハードディスク３に比べて記憶容量の少ないＤＶＤメディア５の記憶容量を消費することを回避することができる。さらに、ＭＡＰファイル１２をＤＶＤメディア５に記録するときに比べて短時間でＭＡＰファイル１２をハードディスク３に書込むことができる可能となる。
【００２４】
なお、本発明は、上記実施形態の構成に限られず、種々の変形が可能であり、例えば、ＤＶＤレコーダ１は、ＭＡＰファイル１２が記録される記憶媒体として、ハードディスク３の他にＳＤカード、メモリスティック、またはコンパクトフラッシュなどを備えても構わない。また、問合手段９は、コンテンツの再生が終了した後に動作する構成でなく、コンテンツの再生開始時に、動作する構成であっても構わない。
【図面の簡単な説明】
【００２５】
【図１】本発明の実施形態に係るＤＶＤレコーダの概略を示す構成図。
【図２】（ａ）（ｂ）は本発明の実施形態に係るインデックスとＭＡＰファイルとの関係を示す図。
【図３】同ＤＶＤレコーダにおけるＭＡＰファイルの保存制御処理フロー。
【図４】従来の実施形態に係るインデックスを参照したタイムサーチの手法を示す図。
【符号の説明】
【００２６】
１  ＤＶＤレコーダ
２  制御部
３  ハードディスク
４Ａ  記録手段
５  ＤＶＤメディア
６Ａ  記録手段
６Ｂ  再生手段
９  問合手段
１１  命令受付部
１２  ＭＡＰファイル
１３  ＭＡＰ作成手段
１４  記憶部
１５  ＡＶＩファイル
１８  インデックス
【図１】
2008108327.tif 000003
【図２】
2008108327.tif 000004
【図３】
2008108327.tif 000005
【図４】
2008108327.tif 000006